(57)【要約】【課題】利便性に優れる情報読み取りシートを提供する。【解決手段】基シートの表面の一部に固定層とこの固定層を被覆する透明フィルムシートとを備え、前記固定層は、固定層表面上に載置されたもしくは載置後に押し付けられた情報記入物が剥離可能に着接されることで当該情報記入物を固定する機能を有し、かつ、前記透明フィルムシートが前記固定層表面に対して再剥離および再接着可能である情報読み取りシートにより解決される。【選択図】図１
2007030437.tif 000002
【特許請求の範囲】
【請求項１】
基シートの表面に、少なくとも情報記入物を固定するための情報記入物固定領域と、この情報記入物固定領域以外の部分に情報記入領域を有することを特徴とする情報読み取りシート。
【請求項２】
前記情報記入物固定領域が、情報読み取り可能なシートで被覆されている請求項１記載の情報読み取りシート。
【請求項３】
前記情報読み取り可能なシートが、情報記入物固定領域の表面に対して再剥離および再接着可能である請求項１または２記載の情報読み取りシート。
【発明の詳細な説明】
【技術分野】
【０００１】
本発明は、カード状またはシート状の情報記入物の表面の情報等をいわゆるスキャナー、複写機等の画像読み取り装置で読み取るさいに用いる情報読み取りシートに関する。
【背景技術】
【０００２】
クレジットカード、携帯電話等の申込み時には、運転免許証、健康保険証等の各種の個人情報が記載されたカード状あるいはシート状の身分証明証を用いた身分証明が行われる。この身分証明のさいには申込み契約者本人であることを後にも確認できるように当該身分証明証の控えを取ることが一般的である。
【０００３】
近年、このような身分証明証の控えを取る方法として、身分証明証等をいわゆるスキャナー等の情報読み取り装置で読み取って、身分証明証の情報記載面を画像情報としてパーソナルコンピューターのハードディスク等に記録したり、情報読み取り装置で読み取るとともに画像情報を窓口コンピューターから本部あるいは本社のサーバコンピューターに送信して当該サーバコンピューターに蓄積したりするといった、コンピューターを介した控え作成作業が行われることがある。
【０００４】
このような控え作成作業は、現在、各社（申し受け者）の出先の窓口や業務委託先の店舗窓口等の担当者に身分証明証を一旦預け、当該担当者等が行うのが一般的となっているが、このさいに申込者は担当者を信頼するか否かに関わらず、身分証明証を預けるしか選択がなく、かかる控え作成作業は申込者の立場からは個人情報の取り扱いの面で不安の残る非常にリスクの高い作業となっている。
【特許文献１】特許第３４３４６９９
【特許文献２】特開平２０００−２８０６５０
【発明の開示】
【発明が解決しようとする課題】
【０００５】
そのような中、近年、個人情報を取り扱うための法整備がなされ、民間企業における個人情報の取り扱い対する意識が高まりつつある。そして、この意識の高まりにともなって、個人情報を従業員や担当者を介さずに申込者本人が直接的に情報読み取り装置を用いて、本社や本部のサーバコンピューターに情報を送信等できるシステムが求められつつある。
【０００６】
そこで、本発明の主たる課題は、個人情報の漏洩の危険性を低下させるべく担当者等を介さずに直接、申込者（需要者、注文者等）が情報読み取り装置を利用して簡易に情報を送信可能にするための、情報読み取りシートを提供することにある。
【課題を解決するための手段】
【０００７】
上記課題を解決した本発明は次記のとおりである。
＜請求項１記載の発明＞
基シートの表面に、少なくとも情報記入物を固定するための情報記入物固定領域と、この情報記入物固定領域以外の部分に情報記入領域を有することを特徴とする情報読み取りシート。
【０００８】
＜請求項２記載の発明＞
前記情報記入物固定領域が、情報読み取り可能なシートで被覆されている請求項１記載の情報読み取りシート。
【０００９】
＜請求項３記載の発明＞
前記情報読み取り可能なシートが情報記入物固定領域の表面に対して再剥離および再接着可能である情報読み取りシート。
【発明の効果】
【００１０】
本発明によれば、シート状またはカード状の情報記入物をずれずにしっかりと所定位置に固定せしめた状態で簡易に読み取り作業を行うことができ、しかも読み取り作業後には当該情報記入物を所定位置から容易に取り外して持ち帰ることが可能である。従って、本発明の情報読み取りシートを用いれば、申込者がスキャナー等の読み取り装置を使って自己の個人情報を窓口担当者を介さずに直接個人情報を管理している本社等のサーバに送信しやすくなり、個人情報の漏洩の危険性の低下に寄与することとなる。
【発明を実施するための最良の形態】
【００１１】
次いで、本発明の実施の形態を図面を参照しながら以下に詳述する。図１は、本形態の情報読み取りシートＸ１の正面図である。図２は、そのII−II断面図である。図３は、本形態の情報読み取りシートＸ１の使用時における正面図である。図４は、そのIV−IV断面図である。図５は、別の形態の断面図である。図６は、別の形態の使用時の断面図である。
【００１２】
本形態の情報読み取りシートＸ１は、基シート１の一部に情報記入物固定領域２を有し、この固定領域以外の部分に情報記入領域３を備える。
【００１３】
前記基シート１は、例えば、含浸紙、セロハン紙、上質紙、アート紙、コート紙、クラフト紙、軽量コート紙、合成紙等、各種紙や合成フィルムなどが使用できる。基シートの厚さに特に制限はないが、好ましくは、５０〜３００μｍである。５０μｍ未満では、ハンドリングが行い難く、３００μｍを超えると、情報読取装置によってはシート送りができなくなる恐れがある。なお、基シートは、情報読み取り性を向上させるとともに無用な情報を付加しないように、不透明で無地な材質であるのが望ましい。特に好適な基シートは白色無地である。基シートの不透明度は、ＪＩＳ  Ｐ８１３８に規定する不透明度が９０％以上であるのが望ましい。
【００１４】
さらにはプリンター等による印刷性・印字性や既存の筆記具による記録性に優れることからパルプを原料とする紙が好適である。
【００１５】
一方、前記基シート１上の一部に形成される情報記入物固定領域２は、例えば、運転免許証、健康保険証等の身分証明証や、伝票等のシート状あるいはカード状の情報記入物を固定するための領域である。この情報記入物固定領域２は、基シートの一部に積層して形成された固定層２０と、この固定層２０を被覆する透明フィルムシート２１で構成される。
【００１６】
前記固定層２０は、当該固定層表面上に載置されたもしくは載置後に押し付けられた情報記入物Ｙが剥離可能に接着されることで当該情報記入物Ｙを固定する機能を有する。例えば、弱粘着性を示す粘着剤層であって、粘着力によって情報記入物を剥離可能に着接する層とすることができる。粘着剤のほかゲル素材等の弱粘着性を示す素材を基シート上に層状に形成して構成することもできる。微細な吸盤を多数敷設して情報記入物を吸着するようにしてもよいし、静電気力により情報記入物を引き着ける機能を備える層であってもよい。なお、固定層は、可撓性であるほうが利便性が高まるので望ましい。
【００１７】
前記固定層２０の情報記入物Ｙに対する接着力の調整は、既知の方法を用いることができる。例えば、非剥離性接着剤に対して、微粒子充填剤を添加して粘着性を調整した粘着剤の塗布によって固定層２０を形成する方法や、固定層を形成するのに用いる粘着剤濃度、粘着剤種類を調整する方法、微細吸盤の量を調整する方法などが挙げられる。
【００１８】
他方、固定層２０は、対象とする情報記入物Ｙがカード状のような比較的厚みのあるものである場合にはクッション性のある層とするのが望ましい。この場合には、クッション性のある微粒子が配合された既知の粘着剤等を塗布して固定層を形成することにより達成できる。
【００１９】
固定層２０は、代表的には基シート１上に直接粘着剤を塗布して形成することができる。好ましくは、図示例の如く基フィルム２０ｂの一方の面に上述の情報記入物の固定機能を備える弱粘着剤層２０ａを備え、他方の面に対象物に対して貼付するための非剥離性の接着剤層２０ｃや強粘着剤層を備える積層フィルム素材を、適宜の大きさに裁断して、前記非剥離性の接着剤層等を介して基シートに貼付して形成する。このような積層フィルム素材を用いれば製造も容易となるし、情報記入物固定領域２の大きさ（基シート全体に占める範囲）を適宜調整することも容易となる。また、基フィルム２０ｂにより弱粘着剤層２０ａを形成する粘着剤等が基シートに浸透して弱粘着剤層２０ａの厚さが変化することを防止することもできる。
【００２０】
他方、固定層２０は透明にすることにより、基シート１に予め印字・印刷等した不変情報が固定層２０を透して視認されるようにすることができる。図示例の本形態においても固定層２０は透明であり、そして基シート１の情報記入物固定領域２部分、すなわち基シート１の固定層２０が積層されている部分には、概ね運転免許証サイズの方形模様が二つ並列して印刷されている。また、その方形模様の内側にそれぞれ「表」「裏」と印字されている。従って、この図柄が固定層２０を透して使用者が視覚的に認識されることにより、情報記入物Ｙを固定層の当該図柄に重ねて載置するように使用者が誘導される効果を有する。
【００２１】
なお、このような固定層２０が積層される基シートの部分には、その他、種々の情報を印字・印刷することができる。固定層２０を透明にするには、透明粘着剤を用いたり、透明フィルム素材を用いたりすればよい。ここで、前記固定層２０の厚さは、５０〜１５０μｍ、好適には７０〜１３０μｍ、特に好適には９０〜１００μｍである。また、固定層２０を積層フィルム素材で構成する場合には、前記弱粘着剤層２０ａは、１５〜３５μｍ、好適には２０〜３０、特に好適には２３〜２７μｍである。基フィルム２０ｂの厚さとしては、４０〜６０μｍ、好適には４５〜５５、特に好適には５３〜５７μｍである。接着剤層２０ｃまたは強粘着剤層は、１５〜３５μｍ、好適には２０〜３０、特に好適には２３〜２７μｍである。
【００２２】
また、透明フィルム素材を用いる場合の、基フィルム２０ｂは、既知のフィルム素材を用いることができる。好適には、透明性が高く比較的薄くても剛性のある、ポリエチレンテレフタレートフィルム、ポリエチレンナフタレートフィルム、ポリアリレートフィルム等のポリエステルフィルムである。
【００２３】
また、積層フィルム素材を用いる場合の非剥離性接着剤としては、一般的な非剥離性の接着剤を用いることができる。例えば、天然ゴム系、アクリル系、シリコン系、ポリウレタン系ポリエステル系の接着剤を用いることができる。また、有機溶剤系、エマルジョン系、ホットメルト系であってもよい。前記アクリル系粘着剤としては、主成分として、例えばアクリル酸エステル単独重合体、アクリル酸エステル単位２種以上を含む共重合体およびアクリル酸エステルと他の官能性単量体との共重合体の中から選ばれた少なくとも１種を含有するものが用いられる。該アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステルなどが挙げられる。また、官能性単量体としては、例えば（メタ）アクリル酸ヒドロキシエチルエステル、（メタ）アクリル酸ヒドロキシプロピルエステルなどのヒドロキシル基含有単量体、（メタ）アクリルアミド、ジメチル（メタ）アクリルアミドなどのアミド基含有単量体、（メタ）アクリル酸などのカルボン酸基含有単量体などが挙げられる。また、このアクリル系粘着剤としては、それが付着した紙類のリサイクル処理における離解工程や再生工程において、不都合をもたらさないようにするために、アルカリ可溶性、水溶性または水再分散性を有するものを用いることもできる。前記ゴム系粘着剤としては、主成分として、例えば天然ゴム、ポリイソプレンゴム、ポリイソブチレン、ポリブタジエンゴム、スチレン−ブタジエン−スチレンブロック共重合体、スチレン−イソプレン−スチレンブロック共重合体などの中から選ばれた少なくとも１種を含有するものが用いられる。
【００２４】
他方、前記固定層２０は透明フィルムシート２１により被覆されている。この透明フィルムシート２１は、情報読み取り時に固定層２０を露出させないようにする作用および読み取り時における情報記入物Ｙの保護の二つの作用を有する。特に、固定層２０が粘着剤層である場合には、意図しない対象物への接着を防止する効果をも有する。
【００２５】
この透明フィルムシート２１は、固定層２０に対して再剥離および再接着可能とされている。また、透明フィルムシート２１は可撓性である。この透明フィルムシート２１の一端辺は粘着テープ２２によって基シートに固着されており、他端側は接着さていない。従って、透明フィルムシート２１は、前記他端側から捲り可能とされている。本発明における情報記入物固定領域２は、図示例の如く方形であり、透明フィルムシート２１も方形とされている。本形態にかかる透明フィルムシートの前記他端縁の角部には厚みを持たせた摘み部２３が形成されており、捲り時に摘みやすいようになっている。粘着テープ２２による透明フィルムシート２１の固定については固定層２０に対してズレが生じないようにすることが目的であり、基シート１あるいは固定層２０に対して接着剤、粘着剤、片面または両面粘着テープあるいは熱圧着等の一般的な方法で透明フィルムシートを固定することができる。さらに好ましい形態として図５および６に示す非剥離性の接着剤層２０Ｃに透明積層フィルム３０を用いることができる。フィルム３０は、２枚の透明フィルムが相互に密着する性質を有していればよく、この性質を利用して、２枚の透明フィルムの間に情報記入物を挟持、固定することができる。この方法によれば、弱粘着剤層２０ａが不要であり、情報記入物を汚す恐れが全くなくなり情報記入物固定領域の加工成形が簡略化される。
【００２６】
この透明フィルムシート２１の厚さとしては、１５〜３５μｍ、好適には２０〜３０、特に好適には２３〜２７μｍである。薄すぎると破損のおそれや扱い難さの問題があり、厚すぎるとスキャナーで読み取り作業が困難になる。
【００２７】
他方、本形態の情報読み取りシートＸ１には、前記情報記入物固定領域２以外の部分に情報記入領域３を有する。この情報記入領域３は、例えば、申込者への配布前に担当者が整理番号等を記入したり、申込人が署名したりする領域であり、少なくとも何らかの情報の記入が可能とされている領域である。
【００２８】
なお、本発明の情報読み取りシートＸ１には、その他、印字・印刷等により使用方法の案内や、管理ナンバー、認識用バーコード、整理番号等の情報が予め記入されていてもよい。また、運転免許証など必要に応じて裏面に情報が存在する情報記入物を対象とする場合には、情報記入物の表面と裏面とを読み取る必要が生ずる場合があるので、表面のみの読み取りであったのか、表裏の読み取りがあったのかを区別できるようなチェック欄を設けるのが望ましい。これらの情報も情報読み取り装置で読み取り可能とするのが望ましい。
【００２９】
このような予めの情報の印字・印刷等は、インクジェット記録装置や、熱転写記録装置、感熱記録装置、電子写真記録装置、オフセット印刷、スクリーン印刷、凸版印刷等により行うことができる。
【００３０】
さらに、図示の本形態では、基シート１の情報記入物固定領域２および情報記入領域以外３の部分に確認用控え領域４を有する。この確認用控え領域４は、前記情報記入領域２に記載された、または予め印刷等された整理番号等の、控えを記入するまたは控えが記入された領域であり、申込者が後に申込みの事実などを確認の問い合わせるための等の情報を記入するあるいは記入された領域である。この確認用控え領域４に例えば、情報記入領域３等に記入した管理ナンバー、バーコード等と同じ管理ナンバー等を印字等することにより、申込者が後に管理ナンバーの照会をすることができ利便性が高まる。また、特に確認用控え領域４に携帯電話でのアクセスを容易にするため二次元コード等を印刷しておくと登録者の利便性が高まる。
【００３１】
かかる確認用控え領域４は、切り離し線４０によって容易に切り離すことができるようになっており、切り離し後には方形のカード型形状となるように形成されている。切り離し線は、例えば、ミシン目線、折り線である。
【００３２】
なお、確認用控え領域は、方形のシートやカードを剥離可能に接着してその表面を確認用控え領域とすることができる。この場合、カード等を基シートから剥離すするだけで控えを取ることができ利便性の高いものとなる。カードまたはシートを剥離可能に接着する方法としては、例えば、既知の粘着剤、仮止め接着剤あるいは感圧接着剤による接着あるいはこれらと離型処理を組み合わせた接着方法等、既知の接着方法により達成することができる。
【００３３】
次いで、本形態の情報読み取りシートＸ１の使用方法について説明する。まず、透明フィルムシート２１の摘み部２３を摘んで、透明フィルムシート２１を捲り上げて、固定層２０の表面を露出させる。その後に、当該固定層２０上に運転免許証、健康保険証等のカード状、シート状の個人情報が記入された情報記入物Ｙを載置し、場合によっては載置後に押し付ける。このとき固定層２０が弱粘着剤層であれば、当該弱粘着剤層の粘着力によって情報記入物Ｙが接着されて固定される。
【００３４】
その後に、捲り上げていた透明フィルムシート２１を戻して、前記固定層２０および情報記入物Ｙの表面を被覆して保護する。この状態では、前記固定層２０と前記透明フィルムシート２１との間にシート状またはカード状の情報記入物Ｙが一時的に固定されて保持される。この保持状態では、情報記入物Ｙが固定層２０に接着され、しかも、透明フィルムシート２１の情報記入物Ｙと重なる部分以外の部分が固定層２０に再接着されるため、情報記入物Ｙが容易に固定層２０から落下等することはない。そして、当該保持状態で前記情報記入物Ｙの表面に記入された情報を当該透明保護フィルムシート２１を透して、前記情報記入領域３さらには確認用控え領域４の情報とともに、複写機、スキャナー等の光学的な読み取り装置によって読み取る。さらに、必要に応じてかかる読み取りとともにサーバ等への送信を行う。
【００３５】
必要であれば、同様にして情報記入物の裏面の情報を読み取る。すなわち、運転免許証など表裏に情報が記載されている情報記入物においては、一旦表面の情報を読み取りを行った後、透明保護フィルムシート２１を捲り挙げて情報記入物Ｙを固定層から一旦剥離し、次いで裏面側に裏返して再度固定層上の指定位置に情報記入物Ｙを移動させて載置し、表面のときと同様の操作で裏面の情報を読み取る。表面あるいは表裏面の読み取り後には、透明保護フィルムシート２１を捲り上げて固定層２０から、自己の情報記入物Ｙを剥離する。
【００３６】
表裏の情報が存在する場合は予め基シートに不変情報等として印刷等により設けたチェック欄にチェックを入れるなどして表面のみの読み取りであったばあいと区別するようにする。
【００３７】
その後、自己の情報記入物Ｙを切り離し線で切り離した確認用控え領域４とともに持ち帰る。
【００３８】
以上、詳述のとおり本発明によれば、運転免許証、健康保険証等の身分証明証等の画像情報を受け付け窓口の担当者を介さず、申込者が直接、登録業務・個人情報等を管理している部門に送付等することを容易とする。
【産業上の利用可能性】
【００３９】
本発明は、シート状物の表面に記載等された情報を情報読み取り装置によって、読み取る分野において利用可能である。
【図面の簡単な説明】
【００４０】
【図１】本実施の形態の情報読み込み用シートの正面図である。
【図２】そのII−II断面図である。
【図３】本実施の形態の情報読み込み用シートの使用時の正面図である。
【図４】そのIV−IV断面図である。
【図５】別の形態の情報読み込み用シートの断面図である。
【図６】別の形態の情報読み込み用シートの使用時の断面図である。
【符号の説明】
【００４１】
１…基シート、２…情報記入物固定領域、３…情報記入領域、４…確認用控え領域、２０…固定層、２０ａ…弱粘着剤層、２０ｂ…基フィルム層、２０ｃ…非剥離性接着剤層、２１…透明フィルムシート、２２…粘着テープ、２３…摘み部、４０…切り離し線、Ｘ１…情報読み取りシート、Ｙ…情報記入物（身分証明証）。
【図１】
2007030437.tif 000003
【図２】
2007030437.tif 000004
【図３】
2007030437.tif 000005
【図４】
2007030437.tif 000006
【図５】
2007030437.tif 000007
【図６】
2007030437.tif 000008